(57)【要約】  使い捨て物品は、第１の端部分および第２の端部分、ならびにその間に延在する中心部分を有するシャーシを含み、当該物品は、シャーシの第１の端部分のそれぞれの側において延在する第１の対のサイドパネルをさらに含み、第１のサイドパネルおよび第２のサイドパネルは、シャーシの上で折り畳まれて、当該物品の使用前の折り畳まれたサイドパネル構成を形成する。第１のサイドパネルは、折り畳まれたサイドパネル構成で重なりエリアを形成するように第２のサイドパネルの上に少なくとも部分的に配置されている。第２のサイドパネルは、折り畳まれたサイドパネル構成で第１の破断可能接着剤によってシャーシに接着され、第１のサイドパネルは、重なりエリア内の第２の破断可能接着剤によって第２のサイドパネルに接着されている。第１の破断可能接着剤は、第２の破断可能接着剤よりも引き剥がし強度が弱い。
2020505977.tif 000002
【特許請求の範囲】
【請求項１】
第１の端部分（１８）および第２の端部分（１４）と、前記第１の端部分（１８）と前記第２の端部分（１４）との間に延在する中心部分（１２ａ）とを有するシャーシ（１２）を備えた使い捨て物品（１０）であって、
前記シャーシの前記第１の端部分（１８）のそれぞれの側において延在する第１の対のサイドパネル（１６、１７）をさらに備え、第１のサイドパネル（１６）および第２のサイドパネル（１７）が、前記シャーシ（１２）の上で折り畳まれて、当該物品（１０）の使用前の折り畳まれたサイドパネル構成を形成し、
前記第１のサイドパネル（１６）が、前記折り畳まれたサイドパネル構成で重なりエリア（１００）を形成するように前記第２のサイドパネル（１７）の上に少なくとも部分的に配置され、
前記第２のサイドパネル（１７）が、前記折り畳まれたサイドパネル構成で第１の破断可能接着剤によって前記シャーシ（１２）に接着され、前記第１のサイドパネル（１６）が、前記重なりエリア（１００）内に第２の破断可能接着剤によって前記第２のサイドパネル（１７）に接着され、
前記第１の破断可能接着剤が、前記第２の破断可能接着剤よりも引き剥がし強度が弱いことを特徴とする使い捨て物品（１０）。
【請求項２】
当該物品（１０）が、使用中、使用者に面する身体に向けられる表面（２１）と、使用に際して、使用者から離れた方に面する、衣服に向けられる表面（２２）とを有し、前記第１のサイドパネルは、当該物品が前記折り畳まれたサイドパネル構成にあるとき、前記身体に向けられる表面（２１）の上で折り畳まれていることを特徴とする、請求項１に記載の使い捨て物品（１０）。
【請求項３】
当該物品（１０）が、使用中、使用者に面する身体に向けられる表面（２１）と、使用に際して、使用者から離れた方に面する、衣服に向けられる表面（２２）とを有し、前記第１のサイドパネルは、当該物品が前記折り畳まれたサイドパネル構成にあるとき、前記衣服に向けられる表面（２２）の上で折り畳まれていることを特徴とする、請求項１に記載の使い捨て物品（１０）。
【請求項４】
前記第１のサイドパネル（１６）および前記第２のサイドパネル（１７）が、遠位縁部（１０３、１０４）をそれぞれ含み、前記第１のサイドパネル（１６）および第２のサイドパネル（１７）の前記遠位縁部（１０３、１０４）のうちのそれぞれは、当該物品が使用前の前記折り畳まれたサイドパネル構成にあるとき、長手方向中心線の上で、前記長手方向中心線を越えて折り畳まれ、それにより、前記重なりエリア（１００）が、当該使い捨て物品（１０）の前記長手方向中心線に沿って中心に配置されるようになっていることを特徴とする、請求項１から３のいずれか一項に記載の使い捨て物品（１０）。
【請求項５】
前記第１の破断可能接着剤（１０１）は、当該物品（１０）が前記折り畳まれたサイドパネル構成にあるとき、前記重なりエリア（１００）内に配置されていることを特徴とする、請求項１から４のいずれか一項に記載の使い捨て物品（１０）。
【請求項６】
前記第２の破断可能接着剤（１０２）は、当該物品が使用前の前記折り畳まれたサイドパネル構成にあるとき、前記第１の破断可能接着剤（１０１）の上に配置されていることを特徴とする、請求項１から５のいずれか一項に記載の使い捨て物品（１０）。
【請求項７】
破断可能接着剤（１０１、１０２）が、隣接して配置され、或いは、当該使い捨て物品（１０）の長手方向中心線において配置されていることを特徴とする、請求項１から６のいずれか一項に記載の使い捨て物品（１０）。
【請求項８】
前記第１の破断可能接着剤（１０１）が、前記重なりエリア内の前記第２のサイドパネル（１７）の全体部をカバーするパターンで配置されていることを特徴とする、請求項１から７のいずれか一項に記載の使い捨て物品（１０）。
【請求項９】
前記第２の破断可能接着剤（１０２）が、前記重なりエリア内の前記第１のサイドパネル（１６）の全体部をカバーするパターンで配置されていることを特徴とする、請求項１から８のいずれか一項に記載の使い捨て物品（１０）。
【請求項１０】
前記第１の破断可能接着剤（１０１）を引き裂くには、４〜６Ｎの力が必要であり、前記第２の破断可能接着剤（１０２）を引き裂くには、７〜１４Ｎの力が必要であることを特徴とする、請求項１から９のいずれか一項に記載の使い捨て物品（１０）。
【請求項１１】
前記第１の破断可能接着剤を引き裂くのに必要な力が、前記第２の破断可能接着剤を引き裂くのに必要な力の２０〜８０％の間とすることができることを特徴とする、請求項１から１０のいずれか一項に記載の使い捨て物品（１０）。
【請求項１２】
前記第１の破断可能接着剤（１０１）が、前記第２のサイドパネル（１７）の一体部であり、および／または前記第２の破断可能接着剤（１０２）が、前記第１のサイドパネル（１６）の一体部であることを特徴とする、請求項１から１１のいずれか一項に記載の使い捨て物品（１０）。
【請求項１３】
前記第１の破断可能接着剤（１０１）が、前記第２のサイドパネル（１７）の別個部であり、および／または前記第２の破断可能接着剤（１０２）が、前記第１のサイドパネル（１６）の別個部であることを特徴とする、請求項１から１１のいずれか一項に記載の使い捨て物品（１０）。
【請求項１４】
少なくとも一方のサイドパネルが、身体に向けられる表面（２１）の上で、または衣服に向けられる表面（２２）の上で、アコーディオン状の形で折り畳まれ、たとえば、Ｚ形状、Ｍ形状、またはＷ形状などに折り畳まれていることを特徴とする、請求項１から１３のいずれか一項に記載の使い捨て物品（１０）。
【請求項１５】
前記第１のサイドパネル（１６）および前記第２のサイドパネル（１７）のうちのいずれか一方が、弾力性中間領域を含むことを特徴とする、請求項１から１４のいずれか一項に記載の使い捨て物品（１０）。
【請求項１６】
当該物品（１０）が、おむつ、ベルト状のおむつ、および失禁ガードなどの使い捨て吸収性物品であることを特徴とする、請求項１から１５のいずれか一項に記載の使い捨て物品（１０）。
【請求項１７】
身体に向けられる表面（２１）を形成し得る第１の液体透過性カバーリング層（２０）と衣服に向けられる表面（２２）を形成し得る第２の実質的に液体非透過性のカバーリング層（３０）との間に配置された吸収体（４０）を有することを特徴とする、請求項１から１６のいずれか一項に記載の使い捨て物品（１０）。
【請求項１８】
第３のサイドパネルおよび第４のサイドパネルが、前記シャーシ（１２）の前記第２の端部分（１４）のそれぞれの側において延在するように、前記シャーシに貼り合わせられた第２の対のサイドパネルを備えていることを特徴とする、請求項１から１７のいずれか一項に記載の使い捨て物品（１０）。
【請求項１９】
当該物品が、使用しているときにパンツ状の形状をとるように、前記第１の対のサイドパネルのサイドパネル（１６、１７）が、第２の対のサイドパネルのサイドパネルに貼り合わせられるようになされたそれぞれの第１のファスナおよび第２のファスナを担持していることを特徴とする、請求項１６に記載の使い捨て物品（１０）。
【請求項２０】
前記第１のファスナおよび前記第２のファスナが、それぞれの前記第１のサイドパネル（１６）および前記第２のサイドパネル（１６）の遠位縁部において配置され、前記第１のサイドパネル（１６）の前記遠位縁部が、前記折り畳まれたサイドパネル構成で前記第１のファスナをカバーするように前記第１のファスナの上で折り畳まれ、前記第２のサイドパネル（１７）の前記遠位縁部が、前記折り畳まれたサイドパネル構成で前記第２のファスナをカバーするように前記第２のファスナの上で折り畳まれ、前記第１の破断可能接着剤（１０１）が、前記第１のファスナをカバーする前記第１のサイドパネル（１６）の一部において配置され、前記第２の破断可能接着剤（１０２）が、前記第２のファスナをカバーする前記第２のサイドパネル（１７）の一部において配置されていることを特徴とする、請求項１９に記載の使い捨て物品（１０）。
【請求項２１】
前記第１の対のサイドパネルのサイドパネル（１６、１７）のうちのいずれか一方が、前記第１の対のサイドパネルの前記サイドパネルのうちの他方の外部表面に貼り合わせられるようになされているファスナ（５１）を担持し、前記シャーシの前記第２の端部分（１４）は、当該物品が、使用しているときに前記サイドパネルがパンツのウェスト部分の一部を形成することによりパンツ状の形状をとるように、前記シャーシ（１２）の前記第２の端部分（１４）を前記サイドパネルのうちの一方に固定するための留付け用機構（４８、４９）を備えていることを特徴とする、請求項１から１７のいずれか一項に記載の使い捨て物品（１０）。
【発明の詳細な説明】
【技術分野】
【０００１】
本開示は、第１の端部分および第２の端部分、ならびにその間に延在する中心部分を有するシャーシを備えた使い捨て吸収性物品に関する。この物品は、シャーシの第１の端部分の両側から延出する第１のサイドパネルおよび第２のサイドパネルをさらに備える。第１および第２のサイドパネルは、シャーシの上で折り畳まれて、物品の使用前の折り畳まれたサイドパネル構成（folded side panel configuration）を形成する。第１のサイドパネルは、折り畳まれたサイドパネル構成で第２のサイドパネルの上に少なくとも部分的に配置されている。
【背景技術】
【０００２】
サイドパネルを備える吸収性製品は、今日、いわゆる開放式吸収性物品によく見られ、当業者に知られている。留付け用タブの代わりにサイドパネルを使用することによって、製品のシャーシをより狭くすることが可能であり、それにより、材料コストが節減されるだけでなく、製品が使用者の皮膚をそれほどカバーしないので、製品の着け心地がより良くなる。別の利点は、サイドパネルが、弾力性または通気性などの所望の特性を有するように、容易に調整可能であることである。
【０００３】
サイドパネルに伴う１つの欠点は、吸収性製品の生産上の問題に関する。吸収性製品が非常に高速で生産され、サイドパネルが横方向に外向きに延出していることにより、材料片による機械の詰まりなどの問題が生じる恐れがある。この問題は、その過程でサイドパネルの緩んでいる遠位縁部を剥離可能に接着することによって克服することができ、後の段階でそれらの接着剤は、物品を装着するときに使用者によって剥離される。剥離可能な接着剤／貼付剤は、時には、破断可能接着剤（breakable bond）と呼ばれることがある。そのような破断可能接着剤は、たとえば特許文献１（国際公開第２０１０／０７１５０７号）により知られている。
【０００４】
この文献を考慮して、製造および輸送中、剥離可能に接着されたサイドパネルを有するが、使用されることになると接着剤の容易な剥離を可能にする製品が依然として求められている。同時に、そのようなサイドパネルを備えた物品の製造は、あまり多くの複雑な加工段階を含まずに容易であるべきである。
【先行技術文献】
【特許文献】
【０００５】
【特許文献１】国際公開第２０１０／０７１５０７号
【発明の概要】
【発明が解決しようとする課題】
【０００６】
本開示の目的は、サイドパネルが、折り畳まれたサイドパネル構成にあるとき、容易に素早く開く改良された使い捨て物品を提供することである。
【課題を解決するための手段】
【０００７】
本開示は、使い捨て物品に関する。この使い捨て物品は、第１の端部分および第２の端部分、ならびにその間に延在する中心部分を有するシャーシを備え、物品は、シャーシの第１の端部分の両側から延出する第１のサイドパネルおよび第２のサイドパネルをさらに備え、第１および第２のサイドパネルは、シャーシの上で折り畳まれて、物品の使用前の折り畳まれたサイドパネル構成を形成する。その上、第１のサイドパネルは、折り畳まれたサイドパネル構成で重なりエリアを形成するように第２のサイドパネルの上に少なくとも部分的に配置され、第２のサイドパネルは、折り畳まれたサイドパネル構成で第１の破断可能接着剤によってシャーシに接着され、第１のサイドパネルは、重なりエリア内の第２の破断可能接着剤によって第２のサイドパネルに接着されている。第１の破断可能接着剤は、第２の破断可能接着剤よりも引き剥がし強度が弱い。
【０００８】
言い換えれば、第１および第２のサイドパネルの少なくとも一部、または第１および第２のサイドパネルの全体が重なり合うように、第２のサイドパネルはシャーシの上で折り畳まれ、第１のサイドパネルは第２のサイドパネルの上で折り畳まれる。第１のサイドパネルは、第２のサイドパネルの上に部分的に、または第２のサイドパネルの上に全体的に配置され得る。
【０００９】
時には第１の対のサイドパネルと呼ばれる第１および第２のサイドパネルは、シャーシに貼り合わせることができる。あるいは、第１および第２のサイドパネルは、シャーシの第１の端部分の各側において延在するシャーシの一体部とすることもできる。
【００１０】
このようにして、着用者または介護者に、「使用準備の整った（ready-to-use）」折り畳まれていないサイドパネル構成（non-folded side panel configuration）になるのが容易な使い捨て物品が提供される。言い換えれば、サイドパネルは、容易に剥離され、折り畳まれたサイドパネル構成から展開される。したがって、引き剥がし強度が第２の破断可能接着剤よりも弱い第１の破断可能接着剤を有することを実現することによって、物品が、折り畳まれたサイドパネル構成にあるとき、使用者が利用できる唯一の遠位縁部である第１のサイドパネルの自由遠位縁部を使用者が引っ張ると、両方の破断可能接着剤が破断することになる。１つの単純な動作により、両方の破断可能接着剤を剥離するという便益が達成される。これは、第１および第２の破断可能接着剤の引き剥がし強度が同じである実施形態とは対照的である。そのような実施形態では、第２のサイドパネルとシャーシとの間の第１の破断可能接着剤の前に、第１のサイドパネルと第２のサイドパネルとの間の第２の破断可能接着剤が破断することになる可能性がある。そのような場合には、接着剤の剥離は、第１のサイドパネルを把持して引っ張り、続いて、第１のサイドパネルを把持して引っ張るという２段階で行われなくてはならない。
【００１１】
この目的のために、本開示の例示的な実施形態は、物品が、折り畳まれたサイドパネル構成にあるとき、第１のサイドパネルの遠位縁部が見つけられ引っ張られると、第２のサイドパネルの遠位縁部を見つけ把持するために、それほど考える必要がないという利点を提供する。
【００１２】
それに応じて、例示的な実施形態により、使用者は、物品を折り畳まれたサイドパネル構成から使用準備の整った状態へと容易に変形することが可能になる。したがって、使い捨て物品の使用の準備は、着用者または介護者の時間と労力をそれほど必要としない、より単純明快かつ直感的な方式で行うことができる。
【００１３】
さらなる利点が、従属クレームの特徴のうちの１つまたはいくつかを実施することによって達成される。
【００１４】
本明細書に使用される「破断可能接着剤（breakable bond）」および「剥離可能に接着される（releasably bonded）」という用語は、相互交換可能と見なされ、一方では、単に一方のサイドパネルを他方のサイドパネルから引き離すことによって使用者が容易に破断することができるが、他方では、製造工程中、サイドパネルに作用するいずれの力にも耐えるほど十分に強力な２つの表面間もしくは一部間の接着、またはそれらの組合せを示している。そのような接着剤は、たとえば、破断可能粘着、スポット溶接、熱的接着、圧着、または超音波溶接などによって形成され得、典型的には、破られると、再度、留め付けることができない接着剤につながる。破断可能接着剤は、一時的な接着剤であり、すなわち、サイドパネルは、一時的に接着されていることを理解されたい。
【００１５】
本開示の例示的な実施形態は、サイドパネルまたはベルトなどの留付け用手段を用いて閉じられることになる開放式おむつにおいて実施され得ることを理解されたい。例示的な実施形態は、失禁ガードにおいてさらに実施され得る。
【００１６】
いくつかの例示的な実施形態では、第１のサイドパネルおよび第２のサイドパネルは、それらのサイドパネルが、折り畳まれたサイドパネル構成にあるとき、重なり部において少なくとも１つの破断可能接着剤により一緒に留め付けられ、または固定され、またはペグ留めされる。重なり部におけるこの剥離可能な貼合せにより、サイドパネルの自由端部分は、確実に、それらが展開される前にあちこち移動しなくなる。典型的には、サイドパネルの自由端部分の可能性としてブラブラして緩んでいる端はいずれも、自由端が物品のシャーシの境界内で１つの特定の場所またはエリアに限定されるように、適切に留め付けられる。
【００１７】
物品は、使用中、使用者に面する身体に向けられる表面と、使用の際、使用者から離れた方に面する、衣服に向けられる表面とを有する。
【００１８】
１つの変形形態では、第２のサイドパネルは、物品が、折り畳まれたサイドパネル構成にあるとき、身体に向けられる表面の上で折り畳まれている。第２のサイドパネルは、破断可能接着剤によって身体に向けられる表面に剥離可能に接着されている。
【００１９】
１つの変形形態では、第２のサイドパネルは、物品が、折り畳まれたサイドパネル構成にあるとき、衣服に向けられる表面の上で折り畳まれている。第２のサイドパネルは、破断可能接着剤によって衣服に向けられる表面に剥離可能に接着されている。
【００２０】
上述したように、第１および第２のサイドパネルの「折り畳まれたサイドパネル構成（folded side panel configuration）」という用語は、物品の使用前のサイドパネルの向きを示している。典型的には、厳密に必要というわけではないが、サイドパネルの折り畳まれたサイドパネル構成は、物品の製造および組立の間に形成される。物品のサイドパネルは、本明細書においてさらに説明するように、サイドパネル構成を形成するようにいくつかの異なる方式で折り畳んでもよい。
【００２１】
典型的には、折り畳まれたサイドパネル構成は、身体に向けられる表面の上で折り畳まれている少なくとも一方のサイドパネルによって形成され得る。あるいは、折り畳まれたサイドパネル構成は、衣服に向けられる表面の上で折り畳まれている少なくとも一方のサイドパネルによって形成され得る。言い換えれば、サイドパネルが使用前の折り畳まれたサイドパネル構成にあるとき、少なくとも一方のサイドパネルは、身体に向けられる表面の上で、または衣服に向けられる表面の上で折り畳まれている。同様に、サイドパネルが使用前の折り畳まれたサイドパネル構成にあるとき、サイドパネルのうちの他方のサイドパネルは、サイドパネルの上で折り畳まれている。製品は、２つまたは４つのサイドパネルを備えることができ、各対は、本明細書に説明する折り畳まれたサイドパネル構成に折り畳むことができる。
【００２２】
第１および第２のサイドパネルは、遠位縁部をそれぞれ含む。第１および第２のサイドパネルの遠位縁部のうちのそれぞれは、物品が、使用前の折り畳まれたサイドパネル構成にあるとき、長手方向中心線の上で、その長手方向中心線を越えて折り畳まれ、それにより、重なりエリアが、使い捨て物品の長手方向中心線に沿って中心に配置されることになる。
【００２３】
１つの例では、第１の破断可能接着剤は、物品が、折り畳まれたサイドパネル構成にあるとき、重なりエリア内に配置される。したがって、第１および第２のサイドパネルは、生産中に吸収性物品に固定して貼り合わせることができる。あるいは、第１の破断可能接着剤は、重なりエリアの外側のエリア内に配置されてもよい。しかしながら、重なりエリアの外側に第１の破断可能接着剤をそのように置くことにより、結果的に、第１および第２のパネルの一部分が、生産中に、吸収性物品のシャーシから緩み、または別の形でシャーシから離れて移動することになりかねず、それにより、第１および第２のサイドパネルが、製造装置に干渉してさらに生産ラインにおける不稼働を招く危険性が増す。そのような干渉により、干渉する物品が取り除かれている間は生産を停止する必要性が生じる場合があり、それによって、生産の不稼働時間が増し、その結果、ひいては製造コストの増加につながる。さらには、本発明者らは、重なりエリア内に第１の破断可能接着剤を置くことにより、着用者または介護者は、より単純かつより直感的な方式で第１および第２のパネルを外すことが可能になり得ることを認識している。
【００２４】
１つの例では、第２の破断可能接着剤は、物品が、使用前の折り畳まれたサイドパネル構成にあるとき、第１の破断可能接着剤の上に配置される。そのような構成により、破断可能接着剤に対する物品の製造が簡素化される。その上、引き剥がし強度が第２の破断可能接着剤よりも弱い第１の破断可能接着剤は、それらが互いの上に配置されている場合、第２の破断可能接着剤の前に容易に破断することになる。言い換えれば、物品が、折り畳まれたサイドパネル構成にあるとき、使用者が引っ張るのに利用できる第２のサイドパネルの遠位縁部を引っ張ろうとすると、第２のサイドパネルは、第１の破断可能接着剤におけるシャーシからは容易に脱着するが、第２の破断可能接着剤を用いる第１のサイドパネルには接着されたままになる。
【００２５】
１つの例では、破断可能接着剤は、隣接して、または長手方向中心線上に配置される。この例では、破断可能接着剤は、サイドパネルの折り目線に対するよりは、長手方向中心線に対してより近い。典型的には、破断可能接着剤は、長手方向中心線から、折り畳まれたサイドパネルの全長の３０％の距離内に配置される。１００％の距離は、第１のサイドパネルまたは第２のサイドパネルの折り目線から長手方向中心線までの距離によって定められる。
【００２６】
１つの例示的な実施形態では、第１の破断可能接着剤は、重なりエリア内の第２のサイドパネル全体をカバーするパターンで配置される。つまり、破断可能接着剤パターンは、シャーシに面する第２のサイドパネルの一部をカバーし、その上に折り畳まれている第１のサイドパネルの下に配置されている。別の例では、第１の破断可能接着剤の接着パターンは、第２のサイドパネル全体をカバーする。
【００２７】
１つの例示的な実施形態では、第２の破断可能接着剤は、重なりエリア内の第１のサイドパネル全体をカバーするパターンで配置される。つまり、破断可能接着剤パターンは、第２のサイドパネルに面する第１のサイドパネルの一部をカバーし、重なり構成における第２のサイドパネルの上に配置されている。
【００２８】
１つの例示的な実施形態では、第１の破断可能接着剤を引き裂くには、２.５〜８Ｎの力が必要であり、第２の破断可能接着剤を引き裂くには、７〜２２Ｎの力が必要である。好ましくは、第１の破断可能接着剤を引き裂くには、３〜７Ｎの力が必要であり、第２の破断可能接着剤を引き裂くには、８〜１８Ｎの力が必要である。最も好ましくは、第１の破断可能接着剤を引き裂くには、４〜６Ｎの力が必要であり、第２の破断可能接着剤を引き裂くには、７〜１４Ｎの力が必要である。あるいは、第１の破断可能接着剤および第２の破断可能接着剤を引き裂くのに必要な力は、２.５〜２２Ｎの間の範囲で選択され、第１の破断可能接着剤を引き裂くのに必要な力は、第２の破断可能接着剤を引き裂くのに必要な力よりも大きい。第２の破断可能接着剤は、第１の破断可能接着剤よりも強力であり、それによって、第１の破断可能接着剤が破断し、第２のサイドパネルをシャーシから脱着させてから、第２の破断可能接着剤が破断し、第１のサイドパネルを第２のサイドパネルから脱着させることが保証される。それによって、第１および第２の接着剤は、たった１回の引っ張り動作によって順次、破断され得、そのことにより、サイドパネルの剥離が容易になり、物品を使用準備の整った状態にすることが可能になる。
【００２９】
加えて、第１の破断可能接着剤を引き裂くのに必要な力は、第２の破断可能接着剤を引き裂くのに必要な力の因子として定められ得る。例としては、第１の破断可能接着剤を引き裂くのに必要な力は、第２の破断可能接着剤を引き裂くのに必要な力の１０〜９０％の間とすることができる。加えて、第１の破断可能接着剤を引き裂くのに必要な力は、第２の破断可能接着剤を引き裂くのに必要な力の２０〜８０％の間とすることができ、好ましくは、第１の破断可能接着剤を引き裂くのに必要な力は、第２の破断可能接着剤を引き裂くのに必要な力の２０〜７０％の間とすることができ、より好ましくは、第１の破断可能接着剤を引き裂くのに必要な力は、第２の破断可能接着剤を引き裂くのに必要な力の３０〜６０％の間とすることができる。
【００３０】
１つの例示的な実施形態では、第１の破断可能接着剤は、第２のサイドパネルの一体部である。１つの例示的な実施形態では、第２の破断可能接着剤は、第１のサイドパネルの一体部である。１つの例示的な実施形態では、第１の破断可能接着剤は、第２のサイドパネルの一体部であり、第２の破断可能接着剤は、第１のサイドパネルの一体部である。これは、たとえば、超音波溶接などの溶接、熱的接着、または圧着によって達成される。第１の破断可能接着剤および／または第２の破断可能接着剤を第１のサイドパネルおよび／または第２のサイドパネルの一体部の形態で有すると、別個の接着材料を加える必要性が低減される。これにより、ひいては、吸収性物品を生産するための製造コストが低減し得る。
【００３１】
１つの例示的な実施形態では、第１の破断可能接着剤は、第２のサイドパネルの別個部である。１つの例示的な実施形態では、第２の破断可能接着剤は、第１のサイドパネルの別個部である。１つの例示的な実施形態では、第１の破断可能接着剤は、第２のサイドパネルの別個部であり、第２の破断可能接着剤は、第１のサイドパネルの別個部である。これは、たとえば、粘着剤によって達成される。
【００３２】
第１および第２の破断可能接着剤は、サイドパネルの一体部とサイドパネルの別個部との両方の組合せとすることもできる。その上、第１の破断可能接着剤は、第２のサイドパネルの一体部とすることができ、第２の破断可能接着剤は、第１のサイドパネルの別個部とすることができ、またはその逆も同様に可能である。
【００３３】
両方のサイドパネルは、身体に向けられる表面の上で、または衣服に向けられる表面の上で、アコーディオン状の形で折り畳むこと、たとえば、Ｚ形状、Ｍ形状、またはＷ形状などで折り畳むことができる。サイドパネルは、同じ折り目で折り畳んでも、または種々の折り目で折り畳んでもよい。
【００３４】
いくつかの例示的な実施形態では、第１のサイドパネルおよび第２のサイドパネルのうちの少なくとも一方は、その少なくとも一方のサイドパネルの長さをまとめるように折り畳まれている。典型的には、少なくとも一方のサイドパネルは、そのサイドパネルの長さをまとめるようにアコーディオン状の形で折り畳まれている。アコーディオン状の折り目は、身体に向けられる表面の上で、または衣服に向けられる表面の上で、たとえば、Ｚ形状、Ｍ形状、またはＷ形状などに折り畳まれるいくつかの異なる方式で折り畳むことができる。典型的には、アコーディオン折り目は、両方向に進む少なくとも２つの平行な折り目によるジグザグ折り目を示す。各折り畳まれたパネルの長さはほぼ同じサイズとすることができるが、アコーディオン折り目という用語はまた、折り畳まれたパネルが種々のサイズであり、より多数のパネル折り目であり、および／またはそれらの組合せである変形形態も含むことを容易に認識すべきである。さらには、アコーディオン折り目を構成する折り畳まれたパネルは、上述のように、剥離可能な貼合せによって一緒に保持され得る。サイドパネルの上記のまとまり構成によって、サイドパネル長さを収容することが可能になる。サイドパネルを折り畳むと、特にサイドパネルがベルト部分を形成する場合、より長いサイドパネルであっても、確実にシャーシ表面の境界内に限定され得る。この文脈では、自由端部分の前端がサイドパネルの長手方向延長部の方向に位置するようにサイドパネルをＺ形状に折り畳むことは特に有利である場合があり、それにより、使用者は、自由端部分を容易に把持することが可能になる。この構成はまた、使用者がサイドパネルを展開しようと思っている方向にサイドパネルの自由端部分が延びているので、使用者にはより直感的である。
【００３５】
第１および第２のサイドパネルは、物品の使用前の折り畳まれたサイドパネル構成を形成するとき、別のやり方でも折り畳むことができる。例として、第１のサイドパネルおよび第２のサイドパネルのうちのそれぞれは、二つ折りにされてもよい。あるいは、第２のサイドパネルがシャーシの上で二つ折りにされ、第１のサイドパネルが第２のサイドパネルの上で折り畳まれてもよい。これは、第２のサイドパネルが第１のサイドパネルよりも長い場合に特に有益であり、それは、たとえばサイドパネルがベルト部分として機能する場合の事例になり得る。
【００３６】
１つの例示的な実施形態では、サイドパネルの長手方向延長部は、シャーシの最大横方向延長部以上に長い。上述のサイドパネルの構成は、適度に長いサイドパネル、具体的にはシャーシの最大横方向延長部以上の長さのベルト部分がある場合、特に有利であり、それは、生産ラインおよび／または包装ラインのいずれの目詰まりまたは詰まりをも防止することができるからである。ベルト部分がより長いと、特定の状況下では、着用者にとってより着け心地が良い場合がある。
【００３７】
第１および第２のサイドパネルのうちのいずれか一方は、対応する弾力性中間領域（intermediate elastic region）を含むことができる。サイドパネルは、本開示の他の代替の態様によれば、非弾力性であっても、または部分的に弾力性を有してもよい。部分的に弾力性のサイドパネルは、サイドパネルの長さの特定の一部が弾力性特性を有するが、サイドパネルの長さの他の特定の一部が弾力性特性を有しないことを意味する。いくつかの設計変形形態では、第１および第２のサイドパネルのうちのいずれか一方は、弾力性中間領域を含む。
【００３８】
１つの例示的な実施形態では、使い捨て物品は、おむつなどの使い捨て吸収性物品であり、おむつは、開放式おむつ、またはベルトタイプのおむつであり、失禁ガードである。物品は、幼児向け、もしくは乳児向け、または大人向けとすることができる。
【００３９】
サイドパネル開放トリガゾーンが、第１のサイドパネルの外部表面に配置され得る。サイドパネル開放トリガゾーンは、第１のサイドパネルの自由端に隣接して配設される。サイドパネル開放トリガゾーンは、物品が、使用前の折り畳まれたサイドパネル構成にあるときに、第１のサイドパネルが引っ張られて、破断可能接着剤を剥離するように意図されているところを示している。
【００４０】
いくつかの設計変形形態では、第１のサイドパネルの自由端縁部に隣接する自由端の一部が、色、またはパターンなどによって、物品の残りの一部とは区別される。
【００４１】
典型的には、厳密に必須というわけではないが、物品の第１の端部分から延出する、第１および第２のサイドパネルのいずれか一方の一部は、第１の端部分に恒久的に貼り合わせられている。
【００４２】
いくつかの例示的な実施形態では、物品は、第１の液体透過性カバーリング層と第２の実質的に液体非透過性のカバーリング層との間に配置された吸収体を有する。典型的には、第１の液体透過性カバーリング層は、身体に向けられる表面を形成し、第２の実質的に液体非透過性のカバーリング層は、衣服に向けられる表面を形成する。
【００４３】
１つの例示的な実施形態では、物品は、第３のサイドパネルおよび第４のサイドパネルがシャーシの第２の端部分の各側において延在するように、シャーシに貼り合わせられる第２の対のサイドパネルを備える。第２の対のサイドパネルには、本明細書に開示されているように、第１の対のサイドパネルに従って破断可能接着剤を施すことができる。そのことは、第３および第４のサイドパネルが、物品の使用前の折り畳まれたサイドパネル構成を形成するようにシャーシの上で折り畳まれ、ここでは、折り畳まれたサイドパネル構成で重なりエリアを形成するように、第４のサイドパネルが、シャーシの上で折り畳まれ、第３のサイドパネルが、第４のサイドパネルの上に少なくとも部分的にまたは全体的に配置されていることを意味する。
【００４４】
第１の対のサイドパネルの各サイドパネルは、物品が、使用しているときにパンツ状の形状をとるように、第２の対のサイドパネルの各サイドパネルに貼り合わせられるようになされているそれぞれの第１および第２のファスナを担持することができる。サイドパネルのうちのいずれか一方は、もう一方のサイドパネルの外部表面に貼り合わせられるようになされているファスナを担持することができる。
【００４５】
いくつかの例示的な実施形態では、第１および第２のファスナは、それぞれの第１および第２のサイドパネルの遠位縁部において配置され、第１のサイドパネルの遠位縁部は、物品が、折り畳まれたサイドパネル構成にあるとき、第１のファスナをカバーするように第１のファスナの上で折り畳まれ、第２のサイドパネルの遠位縁部は、物品が、折り畳まれたサイドパネル構成にあるとき、第２のファスナをカバーするように第２のファスナの上で折り畳まれている。いくつかの例示的な実施形態では、第１の破断可能接着剤は、第１のファスナをカバーする第１のサイドパネルの一部において配置され、第２の破断可能接着剤は、第２のファスナをカバーする第２のサイドパネルの一部において配置されている。
【００４６】
１つの例示的な実施形態では、第１の対のサイドパネルの各サイドパネルは、第１の対のサイドパネルの各サイドパネルのうちの他方の外部表面に貼り合わせられるようになされているファスナを担持し、シャーシの第２の端部分は、物品が、使用しているときにサイドパネルがパンツのウェスト部分の一部を形成することによりパンツ状の形状をとるように、シャーシの第２の端部分をサイドパネルのうちの一方に固定するための留付け用機構を備える。サイドパネルは、長いベルト部分を形成することができる。
【００４７】
別個のベルト部分もまた、サイドパネルをベルト部分へと引き延ばすように、サイドパネルに貼り合わせることができる。
【００４８】
１つの例示的な実施形態では、第１および第２のサイドパネルは、ベルト付き物品のベルト部分を形成する。
【００４９】
本開示の例示的な実施形態のさらなる特徴およびそれらの実施形態による利点は、添付の特許請求の範囲および次の説明を学ぶと明らかになろう。例示的な実施形態の種々の特徴は、次に説明されるもの以外の実施形態を作成するために、本開示の範囲から逸脱することなく組み合わせてもよいことを当業者は認識するであろう。
【００５０】
添付の図面を参照して、例として挙げられる本開示の実施形態のより詳細な説明が次に続く。
【図面の簡単な説明】
【００５１】
【図１】使用しているときに、使用者の方に面するように意図されている側から、本開示による第１のサイドパネルおよび第２のサイドパネルを備えるベルトタイプの使い捨て物品の一例示的実施形態を概略的に示す図である。
【図２】使用しているときに、使用者の方に面するように意図されている側から、本開示によるサイドパネルを備える開放式おむつタイプの使い捨て物品の一例示的実施形態を示す図であり、ここでは、第１のサイドパネルおよび第２のサイドパネルが、シャーシの上で折り畳まれて、折り畳まれたサイドパネル構成を形成する。
【図３Ａ】本開示の一例示的実施形態による第１のサイドパネルおよび第２のサイドパネルを概略的に示す分解組立図である。
【図３Ｂ】本開示の別の例示的な実施形態による第１のサイドパネルおよび第２のサイドパネルを概略的に示す分解組立図である。
【図４】サイドパネルが、あるやり方で折り畳まれて、使用前の折り畳まれたサイドパネル構成を形成する、本開示によるサイドパネルを備える使い捨て物品の一例示的な実施形態を概略的に示す図である。
【図５】サイドパネルが、あるやり方で折り畳まれて、使用前の折り畳まれたサイドパネル構成を形成する、本開示によるサイドパネルを備える使い捨て物品の一例示的な実施形態を概略的に示す図である。
【図６】本開示による破断可能接着剤が施されたサイドパネルを備える使い捨て物品の様々な例示的実施形態を概略的に示す図である。
【図７】本開示による破断可能接着剤が破られている折り畳まれたサイドパネル構成から展開される使い捨て物品を概略的に示す図である。
【発明を実施するための形態】
【００５２】
次に、本開示の様々な態様について、本開示の例示的な実施形態が示されている添付の図面を参照して、本明細書に以降、より完全に説明する。しかしながら、本開示の例示的な実施形態は、多くの異なる形態で具現化され得、本明細書に記載の実施形態に限定されるものと解釈すべきでなく、むしろ、これらの実施形態は、完璧さおよび完全さのために提供される。同様の参照文字は、説明の全体を通じて同様の要素を示している。
【００５３】
本明細書において説明するために、「後方の（rear）」、「前方の（front）」、「垂直な（vertical）」、「水平な（horizontal）」、「長手方向の（longitudinal）」、「内側の（inner）」、「外側の（outer）」、「外部の（exterior）」、「内部の（interior）」という用語、およびそれらの派生形は、たとえば図２の中に配向されている本開示の例示的な実施形態に関する。
【００５４】
しかしながら、明示的に反対に指示される場合を除いて、例示的な実施形態が様々な代替の配向をとることができることを理解されたい。また、添付の図面に示され、続く本明細書に説明されている例が、単に例示的な実施形態にすぎないことも理解されたい。したがって、本明細書に開示されている例示的な実施形態に関する寸法および他の物理的特性は、添付の特許請求の範囲に別段、明記されていない限り、限定するものと見なすべきでない。
【００５５】
本開示は、主に、使い捨て吸収性物品を示し、この使い捨て吸収性物品は、使用後に、洗濯されることも、または別の形で元の状態に戻されることも、もしくは吸収性物品として再使用されることも意図されていない物品を意味する。本開示はさらに、ベルトタイプ、いわゆるベルト物品、もしくはベルト付き物品、または本明細書においてさらに説明する従来の開放式おむつタイプの使い捨て物品に関する。
【００５６】
物品は、概して、シャーシ部を備える。物品は、物品のシャーシ部の前方端部または後方端部のいずれかに連結された横手方向サイドパネルを備える。サイドパネルは、シャーシの一体部であっても、またはシャーシに貼り合わせられた別個部であってもよい。
【００５７】
図１は、物品１０が、使用しているときに、着用者の方に面するように意図されている側から示されている本開示の一例示的実施形態によるベルトタイプおむつ物品１０のいくつかの構成要素を概略的に示している。
【００５８】
図２は、物品１０が、使用しているときに、着用者の方に面するように意図されている側から示されている本開示の一例示的実施形態による開放式おむつタイプ物品１０のいくつかの構成要素を概略的に示している。
【００５９】
本開示の例示的な実施形態のさらなる詳細については、図３Ａ〜図３Ｂ、図４、図５、図６Ａ〜図６Ｃ、および図７Ａ〜図７Ｃに関して本明細書に説明する。
【００６０】
物品１０は、シャーシ１２、ならびに第１のサイドパネル１６および第２のサイドパネル１７を備える。さらには、物品１０は、長手方向Ｘおよび横手方向Ｙを有する。シャーシ部１２は、第１のカバーリング層２０を備える。言い換えれば、物品は、長手方向Ｘに長さ延長部、および横手方向Ｙに幅延長部を有する。その上、シャーシ１２は、第１の端部分１８、第２の端部分１４、およびその間に延在する中心部分１２ａを有する。
【００６１】
典型的には、物品は、使用中、使用者に面する身体に向けられる表面２１、および使用の際、使用者から離れた方に面する、衣服に向けられる表面２２を備える。
【００６２】
図１〜図２の例では、シャーシは、使用者の方に面するように意図された身体に向けられる表面２１を形成する第１のカバーリング層２０を含む。加えて、シャーシは、使用の際、使用者から離れた方に面するように意図された衣服に向けられる表面２２も含む。
【００６３】
言い換えれば、第１の端部分１８および第２の端部分１４、ならびにその間に延在する中心部分１２ａを有するシャーシ１２を備える使い捨て物品１０が提供される。シャーシはまた、使用者の方に面するように意図された身体に向けられる表面２１を有する第１のカバーリング層２０、および使用の際、使用者から離れた方に面するように意図された衣服に向けられる表面２２を備える。
【００６４】
この例示的な実施形態では、図１〜図２に示されているように、第１の端部分は、後方端部１８であり、第２の端部分は、前方端部１４である。しかしながら、逆もまた容易に想定でき得る。
【００６５】
物品１０は、シャーシ１２に貼り合わせられた１対のサイドパネル１６、１７を、第１のサイドパネル１６および第２のサイドパネル１７が、シャーシの第１の端部分１８の各側において延在するように、さらに備える。
【００６６】
図１〜図２の実施形態では、サイドパネル１６、１７は、物品の着用者のウェストの周りで互いに、または第３および第４のサイドパネルそれぞれに固定するように配置されている。サイドパネル１６、１７は、外部表面１６ａ、１７ａをそれぞれ有する。第１および第２のサイドパネル１６、１７はそれぞれ、後方端部１８においてシャーシ１２にそれぞれ連結されている。第１のサイドパネル１６は、長手方向縁部２に接合され、第２のサイドパネル１７は、対向する長手方向縁部１に接合されている。
【００６７】
典型的には、厳密に必要というわけではないが、サイドパネルは、部分的にまたは全体的に弾力性を有し得る。
【００６８】
この場合、第１および第２のサイドパネル１６、１７は、使用中、着用者に面する内側表面１９、および使用中、着用者から離れた方に面する外側（外部）表面１６ａおよび１７ａを有する。したがって、第１のサイドパネルは、使用中、着用者に面する内側表面１９ａを有する。同様に、第２のサイドパネルは、使用中、着用者に面する内側表面１９ｂを有する。図１および図２に示されている物品では、サイドパネル（第１のサイドパネル１６および第２のサイドパネル１７）は、物品の横手方向Ｙに延びている。サイドパネル（第１のサイドパネル１６および第２のサイドパネル１７）は、長手方向Ｘにも延びている。
【００６９】
ファスナ５１または留付け用構成要素を有する第１のサイドパネル１６が示されており、このファスナ５１または留付け用構成要素は、第２のサイドパネル１７に貼り合わせられて物品の着用者の周りでサイドパネルを互いに固定するようになされている。
【００７０】
この例では、たとえば図１に示されているように、第１のサイドパネル１６は、自由端１１を有し、この自由端１１は、第２のサイドパネル１７の外部表面１７ａに貼り合わせられるようになされているファスナ５１を担持する。ファスナは、典型的には、当技技術分野においてよく知られているように、繰返し留め付け可能な方式で貼り合わせられるようになされている。さらには、ファスナ５１と、ファスナ５１が貼り合わせられることになるもう一方のサイドパネルにおいて配置された対合留付け用構成要素とのうちのそれぞれが、互いに機械的な相互連結部を形成することができる機械的連結子構造体を備えることができる。機械的連結子構造体の１つの例が、フックアンドループ材料である。ループ材料は、フック対布地の機械的連結子解決策など、吸収性物品の不織材料とすることができ、またはループ材料は、吸収性物品にラミネート加工もしくは貼り合わせられた別個のループパッチとすることができる。これによって、ファスナと対合留付け用構成要素とは、第１のサイドパネルと第２のサイドパネルとの間の相互連結部を形成して吸収性物品の着用者の周りで互いに対して固定するように機械的に連結することができる。相互連結部は、時には、繰返し留め付け可能な連結部と呼ぶことができる。
【００７１】
シャーシの第２の端部分１４は、物品がパンツ状の形状をとるように、この例ではベルト部分を構成する第１および第２のサイドパネル１６、１７にシャーシの第２の端部分１４を固定するための留付け用機構４８、４９を備え、ベルト部分は、パンツのウェスト部分の一部を形成する。シャーシの第２の端部分１４は、典型的には、第１のサイドパネル１６および／または第２のサイドパネル１７の外部表面１６ａ、１７ａに固定される。
【００７２】
図２に示されている例など、他の例では、物品１０には、第３のサイドパネルおよび第４のサイドパネルがシャーシの第２の端部分１４の各側において延びるように、シャーシ１２に貼り合わせられた第２の対のサイドパネルが設けられる。第１の対のサイドパネルの各サイドパネル１６、１７は、物品が、使用しているときにパンツ状の形状をとるように、第２の対のサイドパネルの各サイドパネルに貼り合わせられるようになされているそれぞれの第１および第２のファスナ５１を担持することができる。
【００７３】
次に、図２を参照すると、物品１０は、第１および第２のサイドパネル１６、１７が身体に向けられる表面２１の上で折り畳まれて、物品１０の使用前の折り畳まれたサイドパネル構成を形成する状態で示されている。これによって、第１のサイドパネル１６は、第２のサイドパネル１７の上に配置されている。物品が第１のカバーリング層２０を備える場合、第１および第２のサイドパネル１６、１７は、第１のカバーリング層２０の身体に向けられる表面２１の上で折り畳まれて、物品の使用前の折り畳まれたサイドパネル構成を形成する。
【００７４】
再度、図２を参照すると、物品は、ここでは、その折り畳まれたサイドパネル構成で示されている。図２に示されているように、第２のサイドパネル１７は、物品のシャーシに重なるように配置され、第１のサイドパネル１６は、第２のサイドパネル１７に重なるように配置されている。言い換えれば、第２のサイドパネル１７は、シャーシ１２の第１の端部分１８に重なるように配置され、第１のサイドパネル１６は、第２のサイドパネルに重なるように配置されている。この例示的な実施形態では、第２のサイドパネル１７は、物品の吸収部分に重なるように配置され、第１のサイドパネル１６は、第２のサイドパネル１７に全体的に重なるように配置されている。したがって、第１のサイドパネル１６および第２のサイドパネル１７が身体に向けられる表面２１の上で折り畳まれて、物品の使用前の折り畳まれたサイドパネル構成を形成するとき、第２のサイドパネル１７は、物品の吸収部分４０に重なるように配置され、第１のサイドパネル１６は、第２のサイドパネル１７に重なるように配置されている。この目的で、第１のサイドパネルの自由端１１上のファスナ５１は、第２のサイドパネル１７の外部表面１７ａに剥離可能に貼り合わせられる。
【００７５】
さらには、第２のサイドパネル１７は、第１の破断可能接着剤１０１によって第１のカバーリング層２０の身体に向けられる表面２１に剥離可能に接着されている。言い換えれば、第１のサイドパネル１６および第２のサイドパネル１７が、身体に向けられる表面２１の上で折り畳まれて物品の使用前の折り畳まれたサイドパネル構成を形成するとき、第２のサイドパネル１７は、第１の破断可能接着剤１０１によって第１のカバーリング層２０の身体に向けられる表面２１に剥離可能に接着されている。
【００７６】
同様に、第１のサイドパネル１６は、第２の破断可能接着剤１０２によって第２のサイドパネル１７の外部表面１７ａに剥離可能に接着されている。言い換えれば、第１のサイドパネル１６および第２のサイドパネル１７が、身体に向けられる表面２１の上で折り畳まれて物品の使用前の折り畳まれたサイドパネル構成を形成するとき、第１のサイドパネル１６は、第２の破断可能接着剤１０２によって第２のサイドパネル１７の外部表面１７ａに剥離可能に接着されている。
【００７７】
図２の実施形態では、第３および第４のサイドパネルには、物品が、使用しているときにパンツ状の形状をとるように、第３および第４のサイドパネルを第１および第２のサイドパネルにそれぞれ留め付けるようにそれぞれのファスナ４８、４９が設けられる。
【００７８】
いくつかの設計変形形態では、第１および第２のサイドパネル１６、１７のうちのいずれか一方は、弾力性中間領域（図示せず）を備える。
【００７９】
上述したように、物品１０は、第１のカバーリング層２０を備え、この第１のカバーリング層は、物品１０が使用されているとき、使用者の方に面するように意図された身体に向けられる表面２１を備える。物品１０はまた、対向する衣服に向けられる表面２２も備える。
【００８０】
この例では、第１のカバーリング層は、第１の液体透過性カバーリング層２０であり、第２のカバーリング層は、第２の実質的に液体非透過性のカバーリング層３０である。第１の液体透過性カバーリング層２０は、身体に向けられる表面を形成し、第２の実質的に液体非透過性のカバーリング層３０は、衣服に向けられる表面を形成する。
【００８１】
典型的には、厳密に必須とはいうわけではないが、物品１０の第１のカバーリング層２０は、砂時計の形状を有する。たとえば、長方形の形状など、他の形状もまた、他の設計変形形態で想定でき得る。
【００８２】
第１のカバーリング層２０は、目的に適切な任意の材料からなることができる。使い捨て物品の最も一般的なカバーリング材料は、不織布地材料、いわゆる様々な方法により製造された不織材料である。織り材料または網材料のカバーリング層２０を使用することは、それほど一般的ではないが、やはり行われている。たとえば、カバーリング層２０として適切な不織材料は、ポリエステルもしくはポリプロピレンなどの合成繊維、または綿繊維などの天然繊維から製造され得る。合成繊維と天然繊維との混合もまた行われる。不織材料の製造は、織物形成および織物接着という２つの主段階からなる。織物形成は、織物ができるだけ均一な表面重量で作製されることを意味し、織物は、天然または化学短繊維のカーディング（carding）によって作製され得る。スパンレイド法は、別の織物形成法であり、ここでは、ポリマー材料が、連続コンベヤ上の細い連続繊維糸に押出される。押出された細い繊維糸は、押出しに続いて無作為に抽出され、それらは、無作為な形で連続コンベヤ上に載る。織物形成は、いくつかの異なるやり方で行うことができる。一般に行われる方法は、いわゆる熱的接着であり、接着パターンは、ホットローラのうちの少なくとも１つがパターンを有するローラニップにおいて繊維織物に溶解される。熱的接着を用いて行う織物形成の場合、織物における繊維の少なくとも１つの特定の部分が、可溶性の合成繊維で構成されていなくてはならない。発生接着パターンは、様々な幾何学形状の点、小さい長方形もしくは円形の表面、または花パターンなどである。上述の方法、また他の方法にも共通していることは、カバーリング層２０の表面がすべて接着されているわけではなく、接着エリア間に、カバーリング層は、それらの端のうちの一方または両方において、隣接する接着エリアに固定されている繊維糸を含む空きエリアを有することである。
【００８３】
表面の、異なる一部において異なる材料から構成されているカバーリングなど、前述の可能なカバーリング材料のうちの２つ以上から構成されているラミネート加工もまた行われる。また、カバーリング層２０が、使用しているときに、より優れた密着性を物品１０に与える、全体的にまたは部分的に弾力性の材料から構成されていることも行われている。カバーリング層２０はまた、カバーリング層２０の前方端部１４においてそれぞれの長手方向縁部１、２に配置された、すなわち、カバーリング層２０の２つの前方隅部に連結された留付け用機構（たとえば、第１および第２の留付け用機構４８、４９）を有する。固定用部材４８、４９は、物品１０が使用されているとき、使用者の方に面するように意図されているカバーリング層２０の側に配置されている。留付け用機構４８、４９は、典型的には、物品１０が使用者にあてがわれると、使用者から離れた方に面するように意図されているサイドパネル１６、１７の側に配置されたループに剥離可能に連結されるように意図されているフック要素を備えることができる。
【００８４】
物品１０の密着性を向上させるために、第１のカバーリング層２０の長手方向縁部１、２には、物品の実質的に長手方向Ｘに配置された脚部弾力部４５を設けることができる。脚部弾力部４５の役割は、物品の密着性を向上させること、および物品１０を布地の多数回使用のブリーフ／パンツのようにさらにすることを含む。各脚部弾力部４５はそれぞれ、延長状態で、カバーリング層２０に糊付けまたは超音波溶接などによって接合されている１つまたは複数の弾力性糸を含むことができる。あるいは、それぞれの脚部弾力部４５は、たとえば、発泡材料からなる弾力性のリボンを含んでもよい。それぞれの脚部弾力部４５は、使用しているときに、使用者から離れた方に面するように意図されている第１のカバーリング層２０の側に配置され得る。
【００８５】
物品１０の後方または前方の端部１８、１４は、物品１０に使用者のウェストに対する柔らかく、柔軟性ある包囲性を与えるために、物品１０の第２の横手方向縁部５または第１の横手方向縁部４に沿って配置された弾力性要素の形態で、いわゆるウェスト弾力部４６を備えていてもよい。図１では、物品１０の前方端部１４にのみ、ウェスト弾力部４６が設けられている。ウェスト弾力部４６は、使用者から離れた方に面するように意図されている第１のカバーリング層２０の側に糊によって貼り合わせられている薄いストリップ状の弾力性発泡材料を含む。ウェスト弾力部４６は、使用者のウェストの周りで物品１０を伸長させる一緒に保持する力（holding-together force）を達成するための伸長した状態で使用される。
【００８６】
本開示の別の態様によれば、物品１０は、使用しているときに、使用者から離れた方に面するように意図されている第１のカバーリング層２０の側に配置されている第２のカバーリング層３０を備える。第２のカバーリング層３０は、Ｘ／Ｙ平面に、第１のカバーリング層２０と同じ延長部を有する。第２のカバーリング層３０は、典型的には、実質的に液体非透過性であるが、他のタイプのカバーリング層もまた存在し得る。第２のカバーリング層３０は、異なる材料範囲を含むことができるが、最も多くは、薄い、好ましくは液体非透過性プラスチックのフィルムを備えるが、たとえば、液体非透過性発泡層または液体非透過性糊など、プラスチックコーティングによる実質的に液体非透過性にされた不織材料などの他のタイプの実質的に液体非透過性の材料を使用することも可能である。あるいは、第２のカバーリング層３０は、液体非透過性で蒸気透過性の材料、いわゆる通気性材料を含んでもよい。
【００８７】
さらには、衣服に向けられる表面２２を背に配置された少なくとも１つの液体非透過性の、典型的には通気性の層を含むラミネートもまた、第２のカバーリング層３０として存在する。これらのラミネートは、普通は、浸込みに対する障壁として機能する液体非透過性材料と、使用時に使用者から離れた方に向けられている物品１０の側に配置されている、より布地状の材料とから構成されている。それによって、物品１０の外側は、使用の際、より衣服状である。ラミネートの布地状の層は、通常、不織層から構成されているが、他の布地、または布地状の材料もまた存在する。第１のカバーリング層２０および第２の液体非透過性カバーリング層３０は、いくつかの異なるやり方で互いに接合されてもよい。接合方法の例は、糊付け、熱的融着、または超音波溶接などである。第１のカバーリング層２０および実質的に液体非透過性の第２のカバーリング層３０を含む物品１０の場合、上述の脚部弾力部４５およびウェスト弾力部４６が、２つのカバーリング層２０、３０間に配置されることが適切である。物品１０では、第１のカバーリング層２０は、時折ある微量の尿、たとえば初期に分泌された月経体液または類似物など、身体のより少量の分泌物の吸収能力が低くてもよい。
【００８８】
本開示の１つの例示的な実施形態によれば、図１〜図２に示されているように、物品１０は、第１のカバーリング層２０と第２の実質的に液体非透過性のカバーリング層３０との間に配置されている吸収体４０を有する。この例による物品の第１のカバーリング層２０は、液体透過性でなくてはならない。この例による物品１０は、大人の失禁者、またはまだ失禁になっていない子供が使用するように意図されたおむつに関する。吸収体４０は、第１および第２のカバーリング層２０、３０と実質的に同じ形状であるが、より小さい表面を有する。したがって、２つのカバーリング層２０、３０は、吸収体４０の全周囲に沿って、吸収体４０の縁部の外側に延在する。吸収体４０は、カバーリング層２０、３０とまったく同じように、前方端部および後方端部と、これらの端部間に位置する、より狭い股当て部とを有する。吸収体４０を含む物品を使用すると同時に、股当て部の前方部および前方端部は、基本的には、尿の受けエリアのように働き、股当て部の後方部および後方端部は、主には、便の受けエリアとして働く。液体透過性の第１のカバーリング層２０、および実質的に液体非透過性の第２のカバーリング層３０は、吸収体４０の外側で、その全周囲に沿って互いに連結されている。吸収体４０は、１つまたは複数のセルロースフラッフパルプ（cellulose fluff pulp）層から構成され得る。セルロースフラッフパルプは、大量の流体を流体保持ジェルの形成による吸収へと化学的に結合するタイプの高吸収性ポリマー材料の、いわゆる超吸収剤の繊維または粒子と混合され得る。吸収体４０はまた、吸収体の内側の層内に配置された、または吸収体の表面、もしくは複数の表面に連結された高吸収性ポリマー材料を含んでもよい。吸収体４０は、吸収体４０の特性を向上させるための成分をさらに含んでもよい。そのような成分の例は、結合用繊維、様々なタイプの流体分散層もしくは流体分散繊維、寸法安定化成分、または補強用繊維などである。
【００８９】
さらには、本明細書において記載のすべての例示的実施形態では、および他の可能な例示的実施形態では、物品の第１の端部分から延出する第１および第２のサイドパネルのうちのいずれか一方の一部は、典型的には、第１の端部分に恒久的に貼り合わせられている。
【００９０】
上述のように、物品は、典型的には、おむつや失禁ガードなどの使い捨て吸収性物品である。さらには、この例における物品１０は、第１の液体透過性カバーリング層２０と第２の実質的に液体非透過性のカバーリング層３０との間に配置された吸収体４０を備える。
【００９１】
図３Ａは、本開示の別の例示的な実施形態を示し、物品１０は、第１および第２のサイドパネル１６、１７が身体に向けられる表面２１の上で折り畳まれて、物品１０の使用前の折り畳まれたサイドパネル構成を形成する状態で示されている。これによって、第１のサイドパネル１６は、第２のサイドパネル１７の上に配置されている。物品が第１のカバーリング層２０を備える場合、第１および第２のサイドパネル１６、１７は、第１のカバーリング層２０の身体に向けられる表面２１の上で折り畳まれて、物品の使用前の折り畳まれたサイドパネル構成を形成する。図３Ａのサイドパネルは、図１〜図２に示されているサイドパネルよりも小さく、それ以外は、物品の特性は同じである。図３Ａによれば、第１の破断可能接着剤１０１および第２の破断可能接着剤１０２は、重なりエリア１００内に配置され、互いに重なり合っている。言い換えれば、第２の破断可能接着剤１０２は、物品が、折り畳まれたサイドパネル状態にあるとき、第１の破断可能接着剤の上に配置されている。第１および第２の破断可能接着剤１０１、１０２は、図３Ａに破線によって示されているように、物品１０の長手方向中心線に沿って配置されている。破断可能接着剤１０１、１０２は、それぞれのサイドパネル１６、１７上の長手方向Ｘにおいて中心に配置されている。図３Ａでは、破断可能接着剤は、それぞれのサイドパネル１６、１７の別個部であり、粘着スポットとして示されている。
【００９２】
図３Ｂでは、第１の破断可能接着剤１０１は、重なりエリア１００内の第１のサイドパネル１６に重なる第２のサイドパネル１７の全体部にわたってパターンを形成する。同様に、第２の破断可能接着剤１０２は、物品が、折り畳まれたサイドパネル構成にあるとき、重なりエリア１００内の第２のサイドパネル１７の上に配置された第１のサイドパネル１６の全体部にわたってパターンを形成する。この例では、破断可能接着剤は、第１および第２のサイドパネルのそれぞれ一体部であり、たとえば、超音波溶接または熱的接着によって形成され得る。
【００９３】
破断可能接着剤に、無作為に選択されたまたは多様なパターンが設けられる他の実施形態も可能である。
【００９４】
破断可能接着剤は、典型的には、サイドパネルの長手方向Ｘにおいて中心に配置されている。しかしながら、破断可能接着剤の配置のいずれかの所望の非対称が可能である変形形態も想定できる。
【００９５】
サイドパネルにおいて破断可能接着剤をどのように施すかについて説明する上記の本開示を考慮すると、物品の使用者がサイドパネルを剥離し、サイドパネルをそれらの折り畳まれた構成から単純な動きで展開することを可能にするという点で、物品が、改良された能力を備えていることが理解されよう。
【００９６】
図４は、本開示の別の例示的な実施形態を示し、サイドパネルのうちの少なくとも一方は、その少なくとも一方のサイドパネルの長さをまとめるように折り畳まれる。前述したように、物品１０は、使用中、使用者に面する身体に向けられる表面２１、および使用の際、使用者から離れた方に面する、衣服に向けられる表面２２を有する。物品は、シャーシに貼り合わせられた１対のサイドパネル１６、１７を、第１のサイドパネル１６および第２のサイドパネル１７がシャーシの第１の端部分１８の各側において延在するように、さらに備える。この例では、折り畳まれたサイドパネル構成は、第２のサイドパネル１７を身体に向けられる表面２１の上で折り畳むことによって形成されるが、第２のサイドパネルは、展開位置（または緩んでいる垂れた位置）で図４に示されている。
【００９７】
加えて、図４に明瞭に示されているように、第１のサイドパネル１６は、サイドパネル１６の長さをまとめるように折り畳まれている。典型的には、厳密に必要というわけではないが（図示せず）、第２のサイドパネル１７もまた、サイドパネル１７の長さをまとめるように折り畳まれている。この例示的な実施形態では、第１のベルト部分は、横手方向Ｙに沿って取った横断面でわかるように、Ｚ形状を形成するように、アコーディオン状の形で身体に向けられる表面２１の上で折り畳まれている。しかしながら、アコーディオン状の折り目はまた、身体に向けられる表面の上で、たとえばＺ形状、Ｍ形状、またはＷ形状などで折り畳まれるいくつかの異なる方式で形成され得る。この例では、折り畳まれたサイドパネルの延長部は、図４に示されているように、シャーシの横手方向長さの半分未満である。しかしながら、折り畳まれたサイドパネルの延長部は、物品のタイプ、サイドパネルのタイプ、折り目のタイプ、および／または展開されているときのサイドパネルの所望の長さに応じて変更可能である。さらにより多くの折り目を使用して、サイドパネル、具体的には、ベルトサイドパネルの所望の量の材料を折り畳むことができることが認識される。例としては、第１の折り目は、フック保護折り目とすることができ、ここで、バックシート不織サイドパネルの一部分が折り畳まれ、それによって、出荷中の製品パッケージ（図示せず）において設けられるときなど、吸収性物品が使用者によって着用される前の状態にあるとき、フックが少なくとも一部、カバーされ、保護される。フック保護折り目は、製造、梱包、または輸送の間に、フックが吸収性物品の他の一部に貼り付くのを防止する。
【００９８】
図６Ａ〜図６Ｃは、物品１０の使用前の折り畳まれたサイドパネル構成での破断可能接着剤配置のさらなる例示的な実施形態を示している。物品は、図６Ａ〜図６Ｃにおいて、折り畳まれたサイドパネル構成にある。第１のサイドパネル１６の遠位縁部１０３は、好ましくは自由であり、それにより、この遠位縁部１０３は、破断可能接着剤を剥離して、折り畳まれたサイドパネル構成を展開するように意図する使用者によって把持可能になる。
【００９９】
図６Ａでは、第１の破断可能接着剤１０１は、第２のサイドパネル１７の遠位縁部１０４に隣接して配置されている。第２の破断可能接着剤１０２は、第１のサイドパネル１６の遠位縁部１０３に隣接して配置されている。
【０１００】
図６Ｂでは、第２の破断可能接着剤１０２は、物品１０のシャーシ１２の端部分の長手方向中心線に沿って配置されている。第１の破断可能接着剤１０１は、第２のサイドパネル１７の折り目線に隣接して配置され、重なりエリア１００内には配置されていない。
【０１０１】
図６Ｃに示されている第１のサイドパネル１６は、第２のサイドパネル１７よりも長い。第１の破断可能接着剤１０１は、シャーシ１２の横手方向Ｙにおいて中心に配置されている。第２の破断可能接着剤１０２は、第２のサイドパネル１７の上に配置された、それによって第２のサイドパネル１７に重なった第１のサイドパネル１６の一部のいくつかの一部をカバーするように配置されている。
【０１０２】
１つの設計オプションでは、図示はしていないが、同様に、第２のサイドパネル１７は、衣服に向けられる表面２２（サイドパネル１６、１７が、使用前の折り畳まれたサイドパネル構成にあるとき）の上で折り畳むことができる。
【０１０３】
図７Ａ〜図７Ｃは、第１のサイドパネル１６が、好ましくはその自由遠位縁部１０３によって引っ張られると、破断可能接着剤１０１、１０２が順次、剥離されるのを示している。第２のサイドパネル１７とシャーシ１２との間の第１の破断可能接着剤１０１は、第２のサイドパネル１７と、第２のサイドパネル１７の上に配置されている第１のサイドパネル１６との間の第２の破断可能接着剤１０２よりも引き剥がし強度が弱い。接着強度がより弱いことにより、第１の破断可能接着剤が最初に破断することになり、それによって、接着された第２および第１のサイドパネル１６、１７がシャーシ１２から剥離される。第２の破断可能接着剤１０２は、図７Ａ〜図７Ｂでは依然として損なわれていない。第１のサイドパネルを引き続き引っ張ると、最終的には、やはり第２の破断可能接着剤１０２も剥離することになり、それによって、図７Ｃに示されているように２つの緩んでいるサイドパネル１６、１７がもたらされる。たった１回の把持において、たった１回の引っ張る動きによって、サイドパネル１６、１７がともに、順次、剥離され得、それによって、物品が、折り畳まれたサイドパネル構成から使用準備の整った構成へと容易に解かれる。図７Ｃにおけるサイドパネル１６、１７は、容易に使用可能である。
【０１０４】
上述したように、本明細書において記載のすべての例示的実施形態では、および他の可能な例示的実施形態では、物品の第１の端部分から延出する第１および第２のサイドパネルのうちのいずれか一方の一部は、典型的には、第１の端部分に恒久的に貼り合わせられている。言い換えれば、第１のサイドパネル１６の端部分２６が、ここでは、シャーシの第１の端部分１８に恒久的に貼り合わせられている。同様に、第２のサイドパネル１７の端部分２７が、ここでは、シャーシの第１の端部分１８に恒久的に貼り合わせられている。また、上述したように、物品は、典型的には、おむつや失禁ガードなどの使い捨て吸収性物品である。さらには、上述の例示的な実施形態における物品１０は、第１の液体透過性カバーリング層２０と第２の実質的に液体非透過性のカバーリング層３０との間に配置された吸収体４０を備える。
【０１０５】
「不織布（nonwoven）」という用語は、特性の観点から一方で紙およびボール紙の群と、他方で布地との間に位置する広範囲の製品に適用される。不織布に関しては、エアレイド法、ウェットレイド法、スパンレースト法、スパンボンド法、メルトブローン法などの多数の非常に多様な製品工程が用いられる。繊維は、in-situで、または短繊維の形態で生産された合成繊維として、エンドレス繊維、またはエンドレス長さを伴ってあらかじめ製造された繊維の形態であってよい。あるいは、繊維は、天然繊維から、または合成繊維と天然繊維との混合から作製されてもよい。
【０１０６】
「吸収性物品（absorbent article）」とは、尿および／または血液など、体液を吸収する、または体液を吸収するようになされている物品を意味する。
【０１０７】
本開示はまた、本開示の説明した態様と、変形形態と、代替形態と、例示的な実施形態との想定できるすべての組合せをカバーする。
【０１０８】
さらには、本開示は、前述の態様または諸例に限定するものでなく、当然ながら、添付の特許請求の範囲内の他の態様および例示的な実施形態に適用可能である。
【０１０９】
特許請求の範囲において記載された参照符号は、特許請求の範囲によって保護される事柄の範囲を限定するものと見なすべきでなく、それらの唯一の機能は、特許請求の範囲をより理解しやすくすることである。
【０１１０】
試験方法の説明
第１および第２の接着剤の強度、接着剤の引き剥がし強度の測定は、従来の引張試験機（たとえば、Instron、８２５ University Avenue、Norwood、MA ０２０６２ USA、またはLloyd社から入手可能）を使用して行うことができる。
【０１１１】
引張試験機の上側クランプおよび下側クランプの幅は、クランプがサイドパネルの全幅にわたって把持し、クランプ締めすることができるように十分に広くするべきであり、それによって、確実に、さらなる引張力がサイドパネルに与えられる。
【０１１２】
おむつのウェスト部全体は、サイドパネルが基本的に同じ幅であるとき、サイドパネルの幅に対応する幅に断ち切るべきである。その後、まず、使い捨て物品の第２の破断可能接着剤の強度（すなわち、パネルとパネルの接着）を測定する。
【０１１３】
第１のサイドパネルの遠位端を上側（可動）クランプに挿入し、使い捨て物品のシャーシセクションを、第１のサイドパネルの遠位端に隣接して配置されたシャーシの、第２のサイドパネルが固定して貼り合わせられる長手方向縁部を下部（固定）クランプに挿入する。ゲージ長さ（クランプ間の距離）は、適切には、接着剤の強度を測定するように引張試験機を動作させる前、２５ｍｍ以下とすることができる。
【０１１４】
試験を開始するとき、上側クランプは、クロスヘッド速度５００ｍｍ／分により上昇すべきである。試験中、９０°の角度（すなわち、クランプ間の垂線に垂直）で試料（まだ分離されていないセクション）を軽く保持し、または支持する。すべての接着剤が、またはサイドパネル間が単一の接着剤である場合には、第１のサイドパネルと第２のサイドパネルとの間の第２の破断可能接着剤が、完全に分離されたとき、試験を終了する。
【０１１５】
次に、第２の破断可能接着剤を測定するときと同じ手順を使用して、第１の破断可能接着剤（すなわち、パネルとシャーシ）を測定する。第２のサイドパネル遠位端を上側（可動）クランプに挿入し、シャーシセクションを、第２のサイドパネルの遠位端に隣接して配置されたシャーシの、第１のサイドパネルが固定して貼り合わせられる使い捨て物品の長手方向縁部を下部（固定）クランプに挿入する。ゲージ長さ（クランプ間の距離）が増加したとき、試験中、９０°の角度（すなわち、クランプ間の垂線に垂直）で試料（まだ分離されていないセクション）を軽く保持し、または支持する。すべての接着剤が、または第２のサイドパネルとシャーシとの間が単一の接着剤である場合には、第２のサイドパネルとシャーシとの間の第１の破断可能接着剤が、完全に分離されたとき、試験を終了する。
【０１１６】
引き剥がし強度は、引張試験機を使用して、パネルとパネルおよびパネルとシャーシのそれぞれの分離の試験中に測定されたニュートン（Ｎ）の単位での最大値に等しい。報告値は、少なくとも５つの異なるおむつからの平均とすべきである。
【０１１７】
試験方法は、単一の第１の破断可能接着剤および／または第２の破断可能接着剤、ならびに複数の第１の破断可能接着剤および／または第２の破断可能接着剤を含む実施形態に適用可能である。
【符号の説明】
【０１１８】
１、２  長手方向縁部
４、５  横手方向縁部
１０  物品
１１  自由端
１２  シャーシ、シャーシ部
１２ａ  中心部分
１６  第１のサイドパネル
１７  第２のサイドパネル
１６ａ、１７ａ  外部表面
１４  第２の端部分、前方端部
１８  第１の端部分、後方端部
１９  内側表面
１９ａ、１９ｂ  内側表面
２０  第１のカバーリング層、液体透過性カバーリング層
２１  身体に向けられる表面
２２  衣服に向けられる表面
２６、２７  端部分
３０  第２のカバーリング層、液体非透過性のカバーリング層
４０  吸収体
４５  脚部弾力部
４６  ウェスト弾力部
４８、４９  留付け用機構、ファスナ、固定用部材
５１  ファスナ
１００  重なりエリア
１０１  第１の破断可能接着剤
１０２  第２の破断可能接着剤
１０３、１０４  遠位縁部
Ｘ  長手方向
Ｙ  横手方向
【図１】
2020505977.tif 000003
【図２】
2020505977.tif 000004
【図３ａ】
2020505977.tif 000005
【図３ｂ】
2020505977.tif 000006
【図４】
2020505977.tif 000007
【図５】
2020505977.tif 000008
【図６ａ−ｃ】
2020505977.tif 000009
【図７ａ−ｃ】
2020505977.tif 000010
【手続補正書】
【提出日】平成30年10月24日(2018.10.24)
【手続補正１】
【補正対象書類名】特許請求の範囲
【補正対象項目名】全文
【補正方法】変更
【補正の内容】
【特許請求の範囲】
【請求項１】
第１の端部分（１８）および第２の端部分（１４）と、前記第１の端部分（１８）と前記第２の端部分（１４）との間に延在する中心部分（１２ａ）とを有するシャーシ（１２）を備えた使い捨て物品（１０）であって、
前記シャーシ（１２）の前記第１の端部分（１８）のそれぞれの側において延在する第１の対のサイドパネル（１６、１７）をさらに備え、第１のサイドパネル（１６）および第２のサイドパネル（１７）が、前記シャーシ（１２）の上で折り畳まれて、当該物品（１０）の使用前の折り畳まれたサイドパネル構成を形成し、
前記第１のサイドパネル（１６）が、前記折り畳まれたサイドパネル構成で重なりエリア（１００）を形成するように前記第２のサイドパネル（１７）の上に少なくとも部分的に配置され、
前記第２のサイドパネル（１７）が、前記折り畳まれたサイドパネル構成で第１の破断可能接着剤（１０１）によって前記シャーシ（１２）に接着され、前記第１のサイドパネル（１６）が、前記重なりエリア（１００）内に第２の破断可能接着剤（１０２）によって前記第２のサイドパネル（１７）に接着され、
前記第１の破断可能接着剤（１０１）が、前記第２の破断可能接着剤（１０２）よりも引き剥がし強度が弱いことを特徴とする使い捨て物品（１０）。
【請求項２】
当該物品（１０）が、使用中、使用者に面する身体に向けられる表面（２１）と、使用に際して、使用者から離れた方に面する、衣服に向けられる表面（２２）とを有し、前記第２のサイドパネルは、当該物品が前記折り畳まれたサイドパネル構成にあるとき、前記身体に向けられる表面（２１）の上で折り畳まれていることを特徴とする、請求項１に記載の使い捨て物品（１０）。
【請求項３】
当該物品（１０）が、使用中、使用者に面する身体に向けられる表面（２１）と、使用に際して、使用者から離れた方に面する、衣服に向けられる表面（２２）とを有し、前記第２のサイドパネルは、当該物品が前記折り畳まれたサイドパネル構成にあるとき、前記衣服に向けられる表面（２２）の上で折り畳まれていることを特徴とする、請求項１に記載の使い捨て物品（１０）。
【請求項４】
前記第１のサイドパネル（１６）および前記第２のサイドパネル（１７）が、遠位縁部（１０３、１０４）をそれぞれ含み、前記第１のサイドパネル（１６）および第２のサイドパネル（１７）の前記遠位縁部（１０３、１０４）のうちのそれぞれは、当該物品が使用前の前記折り畳まれたサイドパネル構成にあるとき、長手方向中心線（３５）の上で、前記長手方向中心線（３５）を越えて折り畳まれ、それにより、前記重なりエリア（１００）が、当該使い捨て物品（１０）の前記長手方向中心線（３５）に沿って中心に配置されるようになっていることを特徴とする、請求項１から３のいずれか一項に記載の使い捨て物品（１０）。
【請求項５】
前記第１の破断可能接着剤（１０１）は、当該物品（１０）が前記折り畳まれたサイドパネル構成にあるとき、前記重なりエリア（１００）内に配置されていることを特徴とする、請求項１から４のいずれか一項に記載の使い捨て物品（１０）。
【請求項６】
前記第２の破断可能接着剤（１０２）は、当該物品が使用前の前記折り畳まれたサイドパネル構成にあるとき、前記第１の破断可能接着剤（１０１）の上に配置されていることを特徴とする、請求項１から５のいずれか一項に記載の使い捨て物品（１０）。
【請求項７】
破断可能接着剤（１０１、１０２）が、隣接して配置され、或いは、当該使い捨て物品（１０）の長手方向中心線（３５）において配置されていることを特徴とする、請求項１から６のいずれか一項に記載の使い捨て物品（１０）。
【請求項８】
前記第１の破断可能接着剤（１０１）が、前記重なりエリア内の前記第２のサイドパネル（１７）の全体部をカバーするパターンで配置されていることを特徴とする、請求項１から７のいずれか一項に記載の使い捨て物品（１０）。
【請求項９】
前記第２の破断可能接着剤（１０２）が、前記重なりエリア内の前記第１のサイドパネル（１６）の全体部をカバーするパターンで配置されていることを特徴とする、請求項１から８のいずれか一項に記載の使い捨て物品（１０）。
【請求項１０】
前記第１の破断可能接着剤（１０１）を引き裂くには、４〜６Ｎの力が必要であり、前記第２の破断可能接着剤（１０２）を引き裂くには、７〜１４Ｎの力が必要であることを特徴とする、請求項１から９のいずれか一項に記載の使い捨て物品（１０）。
【請求項１１】
前記第１の破断可能接着剤（１０１）を引き裂くのに必要な力が、前記第２の破断可能接着剤（１０２）を引き裂くのに必要な力の２０〜８０％の間とすることができることを特徴とする、請求項１から１０のいずれか一項に記載の使い捨て物品（１０）。
【請求項１２】
前記第１の破断可能接着剤（１０１）が、前記第２のサイドパネル（１７）の一体部であり、および／または前記第２の破断可能接着剤（１０２）が、前記第１のサイドパネル（１６）の一体部であることを特徴とする、請求項１から１１のいずれか一項に記載の使い捨て物品（１０）。
【請求項１３】
前記第１の破断可能接着剤（１０１）が、前記第２のサイドパネル（１７）の別個部であり、および／または前記第２の破断可能接着剤（１０２）が、前記第１のサイドパネル（１６）の別個部であることを特徴とする、請求項１から１１のいずれか一項に記載の使い捨て物品（１０）。
【請求項１４】
少なくとも一方のサイドパネルが、身体に向けられる表面（２１）の上で、または衣服に向けられる表面（２２）の上で、アコーディオン状の形で折り畳まれ、たとえば、Ｚ形状、Ｍ形状、またはＷ形状などに折り畳まれていることを特徴とする、請求項１から１３のいずれか一項に記載の使い捨て物品（１０）。
【請求項１５】
前記第１のサイドパネル（１６）および前記第２のサイドパネル（１７）のうちのいずれか一方が、弾力性中間領域を含むことを特徴とする、請求項１から１４のいずれか一項に記載の使い捨て物品（１０）。
【請求項１６】
当該物品（１０）が、おむつ、ベルト状のおむつ、および失禁ガードなどの使い捨て吸収性物品であることを特徴とする、請求項１から１５のいずれか一項に記載の使い捨て物品（１０）。
【請求項１７】
身体に向けられる表面（２１）を形成し得る第１の液体透過性カバーリング層（２０）と衣服に向けられる表面（２２）を形成し得る第２の実質的に液体非透過性のカバーリング層（３０）との間に配置された吸収体（４０）を有することを特徴とする、請求項１から１６のいずれか一項に記載の使い捨て物品（１０）。
【請求項１８】
第３のサイドパネルおよび第４のサイドパネルが、前記シャーシ（１２）の前記第２の端部分（１４）のそれぞれの側において延在するように、前記シャーシ（１２）に貼り合わせられた第２の対のサイドパネルを備えていることを特徴とする、請求項１から１７のいずれか一項に記載の使い捨て物品（１０）。
【請求項１９】
当該物品が、使用しているときにパンツ状の形状をとるように、前記第１の対のサイドパネルのサイドパネル（１６、１７）が、第２の対のサイドパネルのサイドパネルに貼り合わせられるようになされたそれぞれの第１のファスナおよび第２のファスナを担持していることを特徴とする、請求項１８に記載の使い捨て物品（１０）。
【請求項２０】
前記第１のファスナおよび前記第２のファスナが、それぞれの前記第１のサイドパネル（１６）および前記第２のサイドパネル（１６）の遠位縁部において配置され、前記第１のサイドパネル（１６）の前記遠位縁部が、前記折り畳まれたサイドパネル構成で前記第１のファスナをカバーするように前記第１のファスナの上で折り畳まれ、前記第２のサイドパネル（１７）の前記遠位縁部が、前記折り畳まれたサイドパネル構成で前記第２のファスナをカバーするように前記第２のファスナの上で折り畳まれ、前記第１の破断可能接着剤（１０１）が、前記第１のファスナをカバーする前記第１のサイドパネル（１６）の一部において配置され、前記第２の破断可能接着剤（１０２）が、前記第２のファスナをカバーする前記第２のサイドパネル（１７）の一部において配置されていることを特徴とする、請求項１９に記載の使い捨て物品（１０）。
【請求項２１】
前記第１の対のサイドパネルのサイドパネル（１６、１７）のうちのいずれか一方が、前記第１の対のサイドパネルの前記サイドパネルのうちの他方の外部表面に貼り合わせられるようになされているファスナ（５１）を担持し、前記シャーシの前記第２の端部分（１４）は、当該物品が、使用しているときに前記サイドパネルがパンツのウェスト部分の一部を形成することによりパンツ状の形状をとるように、前記シャーシ（１２）の前記第２の端部分（１４）を前記サイドパネルのうちの一方に固定するための留付け用機構（４８、４９）を備えていることを特徴とする、請求項１から１７のいずれか一項に記載の使い捨て物品（１０）。
【国際調査報告】
2020505977.tif 000011
2020505977.tif 000012
2020505977.tif 000013
2020505977.tif 000014